(57)【要約】【課題】  戸枠を擦らずに蹴り出し部材の突出端部を戸枠に押圧させることができるようにして、戸枠の損傷や異音の発生を防止する。【解決手段】  戸枠２内に走行自在に設けられた引き戸３の先端部に取り付け可能なケーシング７と、このケーシング７に回動自在に設けられた操作部材８と、ケーシング７の内部から戸枠２側に向かって出退自在に設けられた蹴り出し部材９とを備え、操作部材８を操作することでケーシング７から突出する蹴り出し部材９の突出端部を戸枠２に押圧させて、引き戸３の開放方向の始動をアシストするようにした引き戸の始動アシスト装置において、上記蹴り出し部材９として、ケーシング７から水平方向に出退するデッドボルト９Ａを採用する。【選択図】図１
2008215052.tif 000002
【特許請求の範囲】
【請求項１】
戸枠内に走行自在に設けられた引き戸の先端部に取り付け可能なケーシングと、このケーシングに回動自在に設けられた操作部材と、前記ケーシングの内部から前記戸枠側に向かって出退自在に設けられた蹴り出し部材とを備え、前記操作部材を操作することで前記ケーシングから突出する前記蹴り出し部材の突出端部を前記戸枠に押圧させて、前記引き戸の開放方向の始動をアシストするようにした引き戸の始動アシスト装置において、
前記蹴り出し部材は、前記ケーシングから水平方向に出退するデッドボルトにより構成されていることを特徴とする引き戸の始動アシスト装置。
【請求項２】
前記デッドボルトは、前記ケーシングの左右両側面から出退自在になっており、その左右両側面から突出するいずれの突出端部によっても前記引き戸の始動をアシスト可能に構成されている請求項１又は２に記載の引き戸の始動アシスト装置。
【請求項３】
前記操作部材の回動操作を前記デッドボルトの突出動作に変換するための連動機構が前記ケーシング内に設けられ、
前記連動機構は、前記操作部材の回動に伴って回動するように前記ケーシング内に収納された中間部材と、この中間部材の端部を前記デッドボルトに回動自在に枢着する連結ピンとから構成されている請求項１に記載の引き戸の始動アシスト装置。
【発明の詳細な説明】
【技術分野】
【０００１】  本発明は、引き戸の開放方向の始動を容易にするための引き戸の始動アシスト装置に関する。
【背景技術】
【０００２】  住宅の窓部やバルコニーに設置されている屋内外を仕切る引き戸装置（例えば、アルミサッシ等）は、建物の外壁に埋設された戸枠と、この戸枠内に走行自在に設けられた引き戸とから構成されている。
このアルミサッシ等よりなる引き戸装置では、断熱性及び防犯性を向上させるために引き戸のガラスを複層構造にしたものが増えてきており、引き戸の重量が従前より増加する傾向にある。また、当該引き戸装置では、気密性を向上させるために引き戸と戸枠の嵌合構造が複雑になっており、屋内に設置される襖等に比べて、引き戸を開閉する際の摺動抵抗が比較的大きなものになっている。【０００３】  このため、特に閉鎖状態の引き戸を開放方向に始動させるのに大きな力が必要となる場合があり、高齢者や手指に障害がある障害者が閉鎖状態の引き戸を開放することができないことがある。
そこで、引き戸の開放方向の始動を容易にするための始動アシスト装置が既に提案されている。【０００４】  この始動アシスト装置は、引き戸の先端部に取り付け可能なケーシングと、このケーシングに回動自在に設けられた操作部材と、ケーシングの内部から戸枠側に向かって出退自在に設けられた蹴り出し部材とを備えており、操作部材を操作することでケーシングから突出する蹴り出し部材の突出端部を戸枠に押圧させて、引き戸の開放方向の始動をアシストできるようになっている（特許文献１参照）。
【特許文献１】  特開２００４−３６１２６号公報（図１〜図３）
【発明の開示】
【発明が解決しようとする課題】
【０００５】  上記従来の始動アシスト装置では、戸枠を直接押圧する蹴り出し部材がケーシングに揺動自在に枢着された揺動アームよりなるので、その揺動アームが戸枠を押圧する際に当該アームの突出端部の戸枠に対する接触点が変動し、戸枠に対して擦れが生じる。
このため、従来の始動アシスト装置では、戸枠が揺動アームの突出端部によって何度も擦られて早期に損傷したり、その擦れに伴う異音が発生し易いという欠点がある。【０００６】  そこで、本発明の第一の課題は、戸枠を擦らずに蹴り出し部材の突出端部を戸枠に押圧させることができるようにして、戸枠の損傷や異音の発生を防止できる引き戸の始動アシスト装置を提供する点にある。【０００７】  一方、従来の始動アシスト装置では、蹴り出し部材がケーシングの左右方向一方側のみから出退する構造になっているので、一つの始動アシスト装置を右開き用の引き戸と左開き用の引き戸に兼用することができない。このため、構造が異なる二種類の始動アシスト装置を用意する必要があり、引き戸に対する取り付け作業や製品管理が煩雑になるという欠点もある。【０００８】  そこで、本発明の第二の課題は、一つの始動アシスト装置を右開き用の引き戸と左開き用の引き戸に兼用できるようにして、引き戸に対する取り付け作業や製品管理が簡便である始動アシスト装置を提供する点にある。
【課題を解決するための手段】
【０００９】  上記課題を達成すべく、本発明は次の解決手段を講じた。
すなわち、上記第一の課題を解決する本発明は、戸枠内に走行自在に設けられた引き戸の先端部に取り付け可能なケーシングと、このケーシングに回動自在に設けられた操作部材と、前記ケーシングの内部から前記戸枠側に向かって出退自在に設けられた蹴り出し部材とを備え、前記操作部材を操作することで前記ケーシングから突出する前記蹴り出し部材の突出端部を前記戸枠に押圧させて、前記引き戸の開放方向の始動をアシストするようにした引き戸の始動アシスト装置において、前記蹴り出し部材は、前記ケーシングから水平方向に出退するデッドボルトにより構成されていることを特徴とする。【００１０】  上記の本発明によれば、蹴り出し部材が、ケーシングから水平方向に出退するデッドボルトにより構成されているので、戸枠を擦らずに当該デッドボルトの突出端部を戸枠に押圧させることができる。
このように、デッドボルトの突出端部が戸枠を押圧する際に、デッドボルトの突出端部が戸枠を擦ることがないので、その擦れによって戸枠が早期に損傷したり、その擦れに伴って異音が発生したりするのを有効に防止することができる。【００１１】  本発明において、前記デッドボルトは、前記ケーシングの左右両側面から出退自在になっており、その左右両側面から突出するいずれの突出端部によっても前記引き戸の始動をアシスト可能に構成されていることが好ましい。
この場合、左右両側面から突出するデッドボルトのいずれの突出端部によっても引き戸の始動をアシスト可能になっているので、一つの始動アシスト装置を右開き用の引き戸と左開き用の引き戸に兼用することができる。【００１２】  このため、右開き用か左開き用かの区別をせずに同じ構造の始動アシスト装置を引き戸に取り付けることができ、引き戸に対する取り付け作業と製品管理が簡便になる。これにより、前記した本発明の第二の課題が達成される。【００１３】  また、本発明においては、前記操作部材の回動操作を前記デッドボルトの突出動作に変換するための連動機構を前記ケーシング内に設ける必要があるが、この連動機構として、前記操作部材の回動に伴って回動するように前記ケーシング内に収納された中間部材と、この中間部材を前記デッドボルトに回動自在に枢着する枢着ピンとから構成されたものを採用することが好ましい。
この場合、連動機構が上記中間部材と枢着ピンで構成されているので、ラックピニオン機構やリンク機構等のその他の連動機構に比べて、それほど加工精度の高い部品を採用する必要がなく、始動アシスト装置を安価に構成できるという利点がある。
【発明の効果】
【００１４】  以上の通り、本発明によれば、戸枠を擦らずに蹴り出し部材の突出端部を戸枠に押圧させることができるので、戸枠の損傷や異音の発生を防止することができる。
また、本発明によれば、一つの始動アシスト装置を右開き用の引き戸と左開き用の引き戸に兼用できるので、引き戸に対する取り付け作業や製品管理が簡便になる。
【発明を実施するための最良の形態】
【００１５】  以下、図面に基づいて本発明の一実施形態について説明する。
図１〜図３は、本発明に係る始動アシスト装置を引き戸装置に取り付けた状態を示しており、図１は始動アシスト装置の正面図、図２は同装置の左側面図、図３は同装置の平面図を示している。
上記引き戸装置１は、建物の外壁部の開口部分に嵌め込まれたアルミ合金製のサッシフフレーム（戸枠）２と、このサッシフレーム２内に左右水平方向に走行自在に嵌め込まれた引き戸３とから主構成されている。【００１６】  引き戸３は、左右一対の縦枠４の上端同士及び下端同士をそれぞれ上枠及び下枠（図示せず）で互いに連結してなる中空アルミ合金製の枠体と、この枠体内にゴムパッキン（図示せず）を介して水密状に固定されたガラス板５とから構成されている。
図１〜図３に示すように、本実施形態の始動アシスト装置６は、上記引き戸３の先端部側の縦枠４、すなわち、引き戸３の閉塞時にサッシフレーム２の柱部２Ａと当接する側の縦枠４に取り付けられている。【００１７】  本実施形態の始動アシスト装置６は、上記引き戸３の開放方向（図１の左方向）の始動をアシストするためのもので、サッシフレーム２内に走行自在に設けられた引き戸３の先端部（本実施形態では縦枠４）に取り付け可能なケーシング７と、このケーシング７に回動自在に設けられた操作部材８と、ケーシング７の内部からサッシフレーム２側に向かって出退自在に設けられた蹴り出し部材９とを備えており、操作部材８を操作することでケーシング７から突出する蹴り出し部材９の突出端部をサッシフレーム２の柱部２Ａに押圧させて、引き戸３の開放方向の始動をアシストできるようになっている。【００１８】  図４に示すように、ケーシング７は、縦長でかつほぼ直方体状の金属製の中空ボックス体よりなり、背面側が開口したケース本体１１と、このケース本体１１の背面開口部を閉塞するケース蓋体１２とから構成されている。
操作部材８は、側面視ほぼ長方形状の把手部１３と、この把手部１３の下端部からケーシング７の裏面側に一体に突設された回動軸部１４とを備えている。この回動軸部１４は、ケーシング７の正面板部に形成されたボス部１５に回動自在に嵌合され、これにより、把手部１３が回動軸部１４の軸心回りに左右いずれの方向にも揺動可能となるように、操作部材８がケーシング７に取り付けられている。また、回動軸部１４には、ケーシング７の内部側に延びたスプライン部１６が一体に形成されている。【００１９】  なお、図示していないが、把手部１３が鉛直方向に向く位置（図１の実線位置：以下、中立位置という。）となるように操作部材８の回動軸部１４を付勢するバネ部材がケーシング７内に設けられている。
本実施形態の蹴り出し部材９は、ケーシング７から水平方向に出退するデッドボルト９Ａにより構成されている。このデッドボルト９Ａは、断面円形の金属製の円柱部材よりなり、ケーシング７の下端部に形成したスライド孔部１７に摺動自在に収納されている。【００２０】  上記スライド孔部１７は、ケーシング７を左右方向に貫通している。デッドボルト９Ａは、そのスライド孔部１７と同じ長さか或いはそれよりも若干長い寸法に設定され、そのスライド孔部１７内で左右いずれの方向にも摺動可能となっている。このため、デッドボルト９Ａは、ケーシング７の左右両側面から出退自在となっており、このデッドボルト９Ａの左右両側への突出量は同じ寸法に設定されている。【００２１】  図４に示すように、本実施形態の始動アシスト装置６は、操作部材８の回動操作をデッドボルト９Ａの突出動作に変換するための連動機構１９を備えており、この連動機構１９は、操作部材８の回動に伴って回動するようにケーシング７内に収納された中間部材２０と、この中間部材２０をデッドボルト９Ａに回動自在に枢着する枢着ピン２１とから構成されている。
上記中間部材２０は、回動軸部１４のスプライン部１６に貫通状に取り付けられた連結プレート２２と、この連結プレート２２の背面側に複数の取付ピン２３（図４及び図５参照）を介して取り付けられた回動プレート２４とを備えている。【００２２】  図５に示すように、回動プレート２４は、回動軸部１４と同軸心状の円盤部２５と、この円盤部２５から下方に一体に延びるアーム部２６とからなり、このアーム部２６の下端部に長孔２７が形成されている。
前記枢着ピン２１は、デッドボルト９Ａの中央部をケーシング７の表裏方向に貫通しており、この枢着ピン２１の背面側の突出端部が上記回動プレート２４のアーム部２６の長孔２７に挿通されている。【００２３】  このため、例えば図１及び図５に示すように、操作部材８の把手部１３を一方側（矢印Ａ側）に揺動させると、回動プレート２４が操作部材８の回動軸部１４と同じ方向に回動するため、当該回動プレート２４のアーム部２６が把手部１３の揺動方向とは反対側（矢印Ｂ側）に枢着ピン２１を移動させ、これにより、デッドボルト９Ａが把手部１３の揺動方向と反対側（矢印Ｂ側）に突出するようになっている。
また、上記と同様に、操作部材８の把手部１３を他方側（矢印Ａの反対側）に倒した場合も、デッドボルト９Ａが把手部１３の揺動方向と反対側（矢印Ｂの反対側）に突出するようになっている。【００２４】  次に、上記構成に係る始動アシスト装置６の使用方法と作用について説明する。
本実施形態の始動アシスト装置６は、図１に示すように、引き戸３の先端部側の縦枠４の室内側面に取り付けネジ２８で取り付けられる。このさい、操作部材８は、ケーシング７内のバネ部材（図示せず）によって通常時は中立位置に位置決めされている。
そこで、閉鎖状態にある引き戸３を開放しようとする場合、ユーザは、操作部材８の把手部１３を引き戸３の開放方向と同じ方向（図１の矢印Ａ方向）に揺動させればよい。【００２５】  すると、上記把手部１３の揺動運動に連動して、ケーシング７内の連動機構１９がデッドボルト９Ａを引き戸３の開放方向とは逆向きかつ水平に突出させ、そのデッドボルト９Ａの突出端部がサッシフレーム２の柱部２Ａに当接して同柱部２Ａを押圧し、これにより、引き戸３の始動がアシストされる。
なお、引き戸３を閉鎖しようとする場合、ユーザは、把手部１３或いは縦枠４に指を掛けて引き戸３を閉鎖方向に移動させればよい。【００２６】  このように、本実施形態の始動アシスト装置６によれば、サッシフレーム２に当接する蹴り出し部材９が、ケーシング７から水平方向に出退するデッドボルト９Ａよりなるので、サッシフレーム２の柱部２Ａを擦らずに当該デッドボルト９Ａの突出端部を柱部２Ａに押圧させることができる。従って、蹴り出し部材９によって柱部２Ａが損傷を受ける恐れが少なく、また擦れに伴う軋み音等の異音の発生を防止することができる。【００２７】  また、本実施形態の始動アシスト装置６によれば、デッドボルト９Ａがケーシング７の左右両側面から出退自在になっており、操作部材８の把手部１３をいずれの方向に揺動させても、デッドボルト９Ａをその揺動方向とは逆向きに突出させることができるようになっている。
このように、左右両側面から突出するデッドボルト９Ａのいずれの突出端部によっても引き戸３の始動をアシスト可能になっているので、一つの始動アシスト装置６を右開き用の引き戸と左開き用の引き戸に兼用することができる。【００２８】  なお、本発明は上記実施形態に限定されるものではない。
例えば、上記連動機構１９は中間部材２０と枢着ピン２１の組合せだけでなく、ラックピニオン機構やリンク機構等を採用することもできる。
また、上記実施形態において、ケーシング７の側面からサッシフレーム２の柱部２Ａまでの距離の変動に対応して、長さの異なるデッドボルト９Ａを複数本用意しておき、サッシの機種に応じてデッドボルト９Ａの長さを調節するようにしてもよい。【００２９】  また、デッドボルト９Ａの先端部に対して着脱自在な長さ調節のための延長ピースを設けておけば、必要に応じてその延長ピースをデッドボルト９Ａに着脱することにより、ケーシング７の側面からサッシフレーム２の柱部２Ａまでの距離が変動しても、ユーザ自身がその変動に対応できるようになる。
【図面の簡単な説明】
【００３０】
【図１】  本発明の始動アシスト装置の取り付け状態を示す正面図である。
【図２】  図１の左側面図である。
【図３】  図１の平面図である。
【図４】  同始動アシスト装置の側面断面図である。
【図５】  同始動アシスト装置の内部構造を示す正面図である。
【符号の説明】
【００３１】  １      引き戸装置
２      サッシフレーム（戸枠）
２Ａ    柱部
３      引き戸
４      縦枠
６      始動アシスト装置
７      ケーシング
８      操作部材
９      蹴り出し部材
９Ａ    デッドボルト
１９      連動機構
２０      中間部材
２１      枢着ピン
２２      連結プレート
２４      回動プレート
【図１】
2008215052.tif 000003
【図２】
2008215052.tif 000004
【図３】
2008215052.tif 000005
【図４】
2008215052.tif 000006
【図５】
2008215052.tif 000007